(57)【要約】【課題】記録ヘッドから液体を吐出することに伴って発生するミストを、記録品質の低下を抑制しつつ効率良く回収する。【解決手段】被記録媒体Ｐに対して往復移動しながら液体を吐出可能な記録ヘッド７と、記録ヘッド７の往復移動方向Ｂに延設される送風部２１と、送風部２１による送風方向Ｄにおいて送風部２１とで記録ヘッド７を挟む位置に設けられるとともに往復移動方向Ｂに延設され、送風部２１から送られる気流を吸引する吸気部１９と、を備え、送風部２１から往復移動方向Ｂにおける記録ヘッド位置に向かう気流を抑制するように構成されている。【選択図】図１
2016137650.tif 000002
【特許請求の範囲】
【請求項１】
被記録媒体に対して往復移動しながら液体を吐出可能な記録ヘッドと、
前記記録ヘッドの往復移動方向に延設される送風部と、
前記送風部による送風方向において前記送風部とで前記記録ヘッドを挟む位置に設けられるとともに前記往復移動方向に延設され、前記送風部から送られる気流を吸引する吸気部と、を備え、
前記送風部から前記往復移動方向における記録ヘッド位置に向かう気流を抑制するように構成されていることを特徴とする記録装置。
【請求項２】
請求項１に記載の記録装置において、
前記記録ヘッド位置を検出する検出部を備え、
前記検出部の検出結果に基づいて、前記送風部から前記記録ヘッド位置に向かう気流を抑制することを特徴とする記録装置。
【請求項３】
請求項１に記載の記録装置において、
前記記録ヘッドが設けられ、前記記録ヘッドと共に前記往復移動方向に往復移動するキャリッジと、
前記送風部と前記記録ヘッドとの間の位置に設けられ、前記キャリッジと連動して前記往復移動方向に往復移動する防風蓋と、
を備えることを特徴とする記録装置。
【請求項４】
請求項３に記載の記録装置において、
前記防風蓋は、前記キャリッジに取り付けられていることを特徴とする記録装置。
【請求項５】
請求項３に記載の記録装置において、
前記防風蓋を前記キャリッジと連動して前記往復移動方向に往復移動させる防風蓋駆動部を備えることを特徴とする記録装置。
【請求項６】
請求項１から５のいずれか１項に記載の記録装置において、
前記被記録媒体を前記送風方向に沿って搬送する搬送部を備え、
前記送風方向は、前記被記録媒体の搬送方向の下流側から上流側に向かう方向であることを特徴とする記録装置。
【請求項７】
請求項１から６のいずれか１項に記載の記録装置において、
前記送風部は、前記往復移動方向に複数並べられる指向性ファンを有することを特徴とする記録装置。
【請求項８】
請求項１から７のいずれか１項に記載の記録装置において、
前記送風部から前記記録ヘッド位置に向かう気流を遮断するエアカーテンを発生させるエアカーテン発生部を備えることを特徴とする記録装置。
【発明の詳細な説明】
【技術分野】
【０００１】
本発明は、記録装置に関する。
【背景技術】
【０００２】
従来から、被記録媒体に対して液体を吐出可能な記録ヘッドを備える記録装置が使用されている。このような記録装置においては、液体の吐出に伴い、ミストが発生する場合がある。また、このような記録装置のうち、被記録媒体に対して往復移動しながら液体を吐出可能な記録ヘッドを備える記録装置が多く使用されている。  
例えば、特許文献１には、記録ヘッドを有したキャリッジを往復移動させることにより記録する記録装置であって、キャリッジの往復移動方向における一端側に吸引ファン（吸気部）が設けられ、他端側に給気口（送風部）が設けられた記録装置が開示されている。
【先行技術文献】
【特許文献】
【０００３】
【特許文献１】特開２００７−３３１２８３号公報
【発明の概要】
【発明が解決しようとする課題】
【０００４】
特許文献１の記録装置は、キャリッジの往復移動方向に吸気部と送風部とを備えている。このため、キャリッジの移動範囲に気流を生成する。このような気流を記録中に生成すると、記録ヘッドから吐出された液体が該気流の影響を受け、所定の着弾位置に着弾しない虞がある。このため、記録中は、ミストの回収と、記録ヘッドに対する気流の影響の抑制と、のいずれかを優先させなくてはならず、例えば、連続して長い時間記録する場合にはミストの回収が十分に行えない時間が長くなりミストを効率よく回収できない場合があった。このように、従来の記録装置においては、記録ヘッドから液体を吐出することに伴って発生するミストを、記録品質の低下を抑制しつつ効率良く回収することが困難であった。
【０００５】
そこで、本発明の目的は、記録ヘッドから液体を吐出することに伴って発生するミストを、記録品質の低下を抑制しつつ効率良く回収することである。
【課題を解決するための手段】
【０００６】
上記課題を解決するための本発明の第１の態様の記録装置は、被記録媒体に対して往復移動しながら液体を吐出可能な記録ヘッドと、前記記録ヘッドの往復移動方向に延設される送風部と、前記送風部による送風方向において前記送風部とで前記記録ヘッドを挟む位置に設けられるとともに前記往復移動方向に延設され、前記送風部から送られる気流を吸引する吸気部と、を備え、前記送風部から前記往復移動方向における記録ヘッド位置に向かう気流を抑制するように構成されていることを特徴とする。
【０００７】
本発明の第２の態様の記録装置は、前記第１の態様において、前記記録ヘッド位置を検出する検出部を備え、前記検出部の検出結果に基づいて、前記送風部から前記記録ヘッド位置に向かう気流を抑制することを特徴とする。
【０００８】
本発明の第３の態様の記録装置は、前記第１又は第２の態様において、前記記録ヘッドが設けられ、前記記録ヘッドと共に前記往復移動方向に往復移動するキャリッジと、前記送風部と前記記録ヘッドとの間の位置に設けられ、前記キャリッジと連動して前記往復移動方向に往復移動する防風蓋と、を備えることを特徴とする。
【０００９】
本発明の第４の態様の記録装置は、前記第３の態様において、前記防風蓋は、前記キャリッジに取り付けられていることを特徴とする。
【００１０】
本発明の第５の態様の記録装置は、前記第３の態様において、前記防風蓋を前記キャリッジと連動して前記往復移動方向に往復移動させる防風蓋駆動部を備えることを特徴とする。
【００１１】
本発明の第６の態様の記録装置は、前記第１から第５のいずれか１つの態様において、前記被記録媒体を前記送風方向に沿って搬送する搬送部を備え、前記送風方向は、前記被記録媒体の搬送方向の下流側から上流側に向かう方向であることを特徴とする。
【００１２】
本発明の第７の態様の記録装置は、前記第１から第６のいずれか１つの態様において、前記送風部は、前記往復移動方向に複数並べられる指向性ファンを有することを特徴とする。
【００１３】
本発明の第８の態様の記録装置は、前記第１から第７のいずれか１つの態様において、前記送風部から前記記録ヘッド位置に向かう気流を遮断するエアカーテンを発生させるエアカーテン発生部を備えることを特徴とする。
【発明の効果】
【００１４】
本発明によれば、記録ヘッドから液体を吐出することに伴って発生するミストを、記録品質の低下を抑制しつつ効率良く回収することができる。
【図面の簡単な説明】
【００１５】
【図１】本発明の実施例１の記録装置を表す概略側面図。
【図２】本発明の実施例１の記録装置を表すブロック図。
【図３】本発明の実施例１の記録装置の要部を表す概略斜視図。
【図４】本発明の実施例２の記録装置の要部を表す概略斜視図。
【図５】本発明の実施例３の記録装置の要部を表す概略斜視図。
【発明を実施するための形態】
【００１６】
［実施例１］（図１〜図３）  
以下に、本発明の実施例に係る記録装置について、添付図面を参照して詳細に説明する。  
最初に、本発明の実施例１に係る記録装置１の概要について説明する。  
図１は本実施例の記録装置１の概略側面図である。
【００１７】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する往復移動方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００１８】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００１９】
搬送機構３は、繰出部２から繰り出された被記録媒体Ｐを載置して搬送する粘着性ベルト１０と、粘着性ベルト１０を移動させる駆動ローラーとしての搬送ローラー８と、従動ローラー９とを備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転する。
【００２０】
記録機構４は、記録ヘッド７を搭載するキャリッジ４３を往復移動方向Ｂに往復移動させるキャリッジモーター３０（図２参照）を有している。なお、図１において往復移動方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。
【００２１】
また、詳細は後述するが、記録機構４における、被記録媒体Ｐの搬送方向Ａにおける記録ヘッド７の下流側には、複数の指向性ファン２２（図３参照）を有し記録ヘッド７の往復移動方向Ｂに延設される送風部２１が設けられている。また、送風部２１による送風方向Ｄにおいて送風部２１とで記録ヘッド７を挟む位置（搬送方向Ａにおける記録ヘッド７の上流側）には、往復移動方向Ｂに延設され、ファン２０が発生する気流によって送風部２１から送られる気流を吸引する開口を有する吸気部１９が設けられている。  
吸気部１９の開口部は送風部２１や記録ヘッド７に対向している。
【００２２】
粘着性ベルト１０の洗浄機構１５は、複数の洗浄ローラーが回転軸方向に連結されて構成された洗浄ユニット１３と、洗浄ユニット１３を洗浄するための洗浄剤が入ったトレイ１４と、を有する。
【００２３】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００２４】
なお、本実施例の記録装置１は、ロール状の被記録媒体Ｐを粘着性ベルト１０に支持させて搬送する記録装置であるが、このような構成の記録装置に限定されない。例えば、ロール状の被記録媒体Ｐのほか単票状の被記録媒体Ｐを、搬送部としてのローラー対で挟持して搬送可能な構成としてもよい。さらには、被記録媒体Ｐを不動の支持部に支持させ、記録ヘッド７を被記録媒体Ｐに対して移動させて記録する、所謂フラッドベッドタイプの構成としてもよい。
【００２５】
次に、本実施例の記録装置１における電気的な構成について説明する。  
図２は、本実施例の記録装置１のブロック図である。  
制御部２５には、記録装置１の全体の制御を司るＣＰＵ３９が設けられている。ＣＰＵ３９は、システムバス４０を介して、ＣＰＵ３９が実行する各種制御プログラム等を格納したＲＯＭ４１と、データを一時的に格納可能なＲＡＭ４２と接続されている。
【００２６】
また、ＣＰＵ３９は、システムバス４０を介して、記録ヘッド７を駆動するためのヘッド駆動部２８と接続されている。  
また、ＣＰＵ３９は、システムバス４０を介して、キャリッジモーター３０、搬送モーター３１、繰出モーター３２、巻取モーター３３、指向性ファンモーター３４及びファンモーター３５を駆動させるためのモーター駆動部２９と接続されている。
【００２７】
ここで、キャリッジモーター３０は、記録ヘッド７を搭載したキャリッジ４３を移動させるためのモーターである。また、搬送モーター３１は、搬送ローラー８を駆動するためのモーターである。また、繰出モーター３２は、回転軸５の回転機構であり、被記録媒体Ｐを搬送機構３に送り出すために回転軸５を駆動するモーターである。また、巻取モーター３３は、巻取軸１７を回転させるための駆動モーターである。また、指向性ファンモーター３４は、指向性ファン２２を駆動するモーターである。そして、ファンモーター３５は、ファン２０を駆動するモーターである。
【００２８】
また、ＣＰＵ３９は、システムバス４０を介して、被記録媒体Ｐを切断するようカッター１６を駆動させるカッター駆動部３６と接続されている。  
さらに、ＣＰＵ３９は、システムバス４０を介して、入出力部３７と接続されており、入出力部３７は、往復移動方向Ｂにおける記録ヘッド７の位置を検出する検出部としてのエンコーダー２３、記録データ等を外部装置から入力するＰＣ３８と接続されている。
【００２９】
次に、本実施例の記録装置１の要部である記録機構４について説明する。  
図３は、本実施例の記録装置１の要部である記録機構４を表す概略平面図である。  
本実施例の記録ヘッド７（キャリッジ４３）は、搬送方向Ａに移動する被記録媒体Ｐに対して往復移動方向Ｂに移動して記録（インクを吐出）することが可能である。記録ヘッド７を有するキャリッジ４３にはエンコーダー２３が設けられており、往復移動方向Ｂに延設されるエンコーダーレーン２４を読み取ることにより、往復移動方向Ｂにおける記録ヘッド７の位置を検出することが可能な構成となっている。
【００３０】
また、図３で表されるように、本実施例の送風部２１には、搬送方向Ａと沿う方向である送風方向Ｄに気流を発生する指向性ファン２２が往復移動方向Ｂに並べて複数設けられている。このような構成により、往復移動方向Ｂにおける記録ヘッド７の移動範囲全体に亘り、送風方向Ｄに気流を発生することが可能になっている。そして、図２及び図３で表されるように、エンコーダー２３並びに各指向性ファン２２（ファンモーター３５）は、制御部２５に接続されている。
【００３１】
本実施例の記録機構４は、上記のような構成になっている。  
そして、制御部２５は、エンコーダー２３で検出される往復移動方向Ｂにおける記録ヘッド７の位置（記録ヘッド位置）から、該記録ヘッド位置に送風する指向性ファン２２の送風（ファンモーター３５の駆動）を停止するよう制御する。  
別の表現をすると、本実施例の記録機構４は、被記録媒体Ｐに対して往復移動しながらインクを吐出可能な記録ヘッド７と、往復移動方向Ｂに延設される送風部２１と、送風部２１による送風方向Ｄにおいて送風部２１とで記録ヘッド７を挟む位置に設けられるとともに往復移動方向Ｂに延設され、送風部２１から送られる気流を吸引する吸気部１９と、を備えている。  
そして、制御部２５による送風部２１の制御により、送風部２１から吸気部１９まで流れる気流のうち、送風部２１から往復移動方向Ｂにおける記録ヘッド位置に向かう気流を抑制する。  
このような構成により、本実施例の記録装置１は、送風部２１から吸気部１９まで送風される気流のうち往復移動方向Ｂにおける記録ヘッド位置に向かう気流のみを抑制して記録動作を実行することができる。このため、記録中（インクを吐出中）においても、記録ヘッド７からインクを吐出することに伴って発生するミストを、記録品質の低下を抑制しつつ効率良く回収することができる構成になっている。  
ここで、「記録ヘッド位置」とは、往復移動方向Ｂにおいて記録ヘッド７が存在している位置であり、詳細には、記録ヘッド７の液体吐出部（インクを吐出するノズルが形成されている部分）が存在している位置を意味する。
【００３２】
また、上記のように、本実施例の記録装置１は、エンコーダー２３により記録ヘッド位置を検出し、エンコーダー２３の検出結果に基づいて、制御部２５による送風部２１の制御により、送風部２１から記録ヘッド位置に向かう気流を抑制する。具体的には、エンコーダー２３の検出結果に基づいて、記録ヘッド位置に送風する指向性ファン２２のみを、記録ヘッド位置に対応させて停止する。このように、エンコーダー２３と往復移動方向Ｂに複数並べられる指向性ファン２２を有する送風部２１とを用いることで、記録中、高い精度で、送風部２１から送風される気流のうち送風部２１から記録ヘッド位置に向かう気流を抑制する。
【００３３】
そして、図３で表されるように、送風部２１は、送風方向Ｄと交差する方向である往復移動方向Ｂに複数並べられる指向性ファン２２を有する。指向性ファン２２は送風方向Ｄを特に高い精度で管理できるため、本実施例の記録装置１は、特に高い精度で、記録ヘッド７からインクを吐出することに伴って発生するミストを、記録品質の低下を抑制しつつ効率良く吸気部１９で回収することができる構成になっている。
【００３４】
なお、本実施例の記録装置１は、図１で表されるように、被記録媒体Ｐを送風方向Ｄに沿って搬送する搬送部としての搬送機構３を備えているが、送風方向Ｄは、被記録媒体Ｐの搬送方向Ａの下流側から上流側に向かう方向である。  
送風部２１や吸気部１９としては様々な形状や大きさのものを使用できるが、本実施例の記録装置１では、搬送方向Ａの下流側に送風部２１、搬送方向Ａの上流側に吸気部１９を配置するのが装置構成上適切である。すなわち、本実施例の記録装置１は、装置構成を適切にしつつ、記録ヘッド７から液体を吐出することに伴って発生するミストを、記録品質の低下を抑制しつつ効率良く回収することができる構成になっている。
【００３５】
なお、本実施例の記録装置１は、往復移動方向Ｂに複数並べられる指向性ファン２２を個々に制御することにより、送風部２１から吸気部１９までの気流の経路のうち、送風部２１側の気流生成要素を往復移動方向Ｂにおいて制御する構成である。ただし、このような構成には限定されず、例えば、上下方向等、搬送方向Ａと往復移動方向Ｂに交差する方向に開閉するシャッターを往復移動方向Ｂに複数並べて吸気部１９の開口部に設け、送風部２１から吸気部１９までの気流の経路のうち、各々のシャッターの開閉制御により吸気部１９側の気流生成要素を往復移動方向Ｂにおいて制御する構成としてもよい。具体的には搬送方向Ａにおいて記録ヘッドに対向する位置のシャッターを閉めることによって、記録ヘッド位置に向かう気流の抑制をおこなうことができる。すなわち、記録ヘッド位置に向かう気流の抑制は、送風部２１及び吸気部１９の何れで行ってもよい。
【００３６】
［実施例２］（図４）  
次に、本発明の実施例２に係る記録装置について説明する。  
図４は本発明の実施例２に係る記録装置１の要部である記録機構４の概略斜視図であり、実施例１の記録機構４を表す図３に対応する図である。なお、上記実施例１と共通する構成部材は同じ符号で示しており、詳細な説明は省略する。  
本実施例の記録装置１は、記録機構４の構成及び記録機構４に対する制御部２５の制御のみが実施例１の記録装置１と相違する。
【００３７】
実施例１の記録装置１は、エンコーダー２３で検出される往復移動方向Ｂにおける記録ヘッド位置から、該記録ヘッド位置に送風する指向性ファン２２の送風を停止するよう制御部２５が制御する構成であった。  
一方、本実施例の記録装置１は、送風部２１から往復移動方向Ｂにおける記録ヘッド位置に向かう気流を抑制することが可能な構成になっていることは実施例１の記録装置１と共通するが、制御部２５による制御を伴うことなく該気流の抑制が可能になっている。
【００３８】
図４で表されるように、本実施例の記録装置１は、実施例１の記録装置１と同様、記録ヘッド７が設けられ記録ヘッド７と共に往復移動方向Ｂに往復移動するキャリッジ４３を備えている。そして、本実施例の記録装置１は、送風部２１と記録ヘッド７との間の位置に、該キャリッジ４３と連動して往復移動方向Ｂに往復移動する防風蓋２６を備えている。  
このように、本実施例の記録装置１は、キャリッジ４３と連動して往復移動方向Ｂに往復移動する防風蓋２６を備えている。このため、防風蓋２６により、複雑な制御をすることなく、送風部２１から吸気部１９まで送風される気流のうち送風部２１から記録ヘッド位置に向かう気流を抑制することができるように構成されている。
【００３９】
ここで、図４で表されるように、防風蓋２６はキャリッジ４３に取り付けられている。このため、このような特に簡単な構成で、送風部２１から送風される気流のうち送風部２１から記録ヘッド位置に向かう気流を抑制している。
【００４０】
ただし、このような構成には限定されない。例えば、防風蓋２６をキャリッジ４３と連動して往復移動方向Ｂに往復移動させる防風蓋駆動部を備える構成としてもよい。このような構成であっても、防風蓋２６をキャリッジ４３と連動して往復移動方向Ｂに往復移動させることができるので、送風部２１から送風される気流のうち送風部２１から記録ヘッド位置に向かう気流を抑制することができる。
【００４１】
［実施例３］（図５）  
次に、本発明の実施例３に係る記録装置について説明する。  
図５は本発明の実施例３に係る記録装置１の要部である記録機構４の概略斜視図であり、実施例１の記録機構４を表す図３及び実施例２の記録機構４を表す図４に対応する図である。なお、上記実施例１及び２と共通する構成部材は同じ符号で示しており、詳細な説明は省略する。  
本実施例の記録装置１は、記録機構４の構成及び記録機構４に対する制御部２５の制御のみが実施例１及び２の記録装置１と相違する。
【００４２】
実施例１の記録装置１は、エンコーダー２３で検出される往復移動方向Ｂにおける記録ヘッド位置から、該記録ヘッド位置に送風する指向性ファン２２の送風を停止するよう制御部２５が制御する構成であった。  
また、実施例２の記録装置１は、制御部２５による制御を伴うことなく、キャリッジ４３に取り付けられた防風蓋２６が記録ヘッド位置に向かう気流を抑制する構成であった。  
一方、本実施例の記録装置１は、送風部２１から往復移動方向Ｂにおける記録ヘッド位置に向かう気流を抑制することが可能な構成になっていることは実施例１及び２の記録装置１と共通するが、記録ヘッド位置に向かう気流を遮断するエアカーテンを発生させることにより該気流の抑制が可能になっている。
【００４３】
図５で表されるように、本実施例の記録装置１は、送風部２１から記録ヘッド位置に向かう気流を遮断するエアカーテンを発生させるエアカーテン発生部２７を備えている。このため、エアカーテンにより、特に高い精度で、送風部２１から送風される気流のうち送風部２１から記録ヘッド位置に向かう気流を抑制することができる構成になっている。
【００４４】
詳細には、エアカーテン発生部２７は、不図示のエアポンプから供給される気体（エア）を、キャリッジ４３に往復移動方向Ｂに沿って並べられたエア送出口４４から方向Ｅに送出可能に構成されている。エア送出口４４は記録ヘッド７（キャリッジ４３）の往復移動に伴い移動するので、送風部２１から送風される気流のうち送風部２１から記録ヘッド位置に向かう気流をエアカーテンで抑制あるいは遮断することができる。  
なお、方向Ｅは、送風方向Ｄと往復移動方向Ｂに交差する方向であり、送風部２１から送風される送風方向Ｄの気流を抑制可能な方向に設定されている。
【００４５】
また、エアカーテン発生部２７の構成は特に限定が無い。本実施例のような構成の他、例えば、記録ヘッド７の昇温を抑制するために記録ヘッド７に送風するファンをキャリッジ４３に設け、該ファンから記録ヘッド７に送風した気流が送風部２１に向けて流れるような気流（エアカーテンに対応）を発生させる気流の経路を設ける構成としてもよい。
【００４６】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４７】
本発明の第１の態様の記録装置１は、被記録媒体Ｐに対して往復移動しながら液体を吐出可能な記録ヘッド７と、記録ヘッド７の往復移動方向Ｂに延設される送風部２１と、送風部２１による送風方向Ｄにおいて送風部２１とで記録ヘッド７を挟む位置に設けられるとともに往復移動方向Ｂに延設され、送風部２１から送られる気流を吸引する吸気部１９と、を備え、送風部２１から往復移動方向Ｂにおける記録ヘッド位置に向かう気流を抑制するように構成されていることを特徴とする。
【００４８】
ここで、「記録ヘッド位置」とは、往復移動方向Ｂにおいて記録ヘッド７が存在している位置であり、詳細には、記録ヘッド７の液体吐出部が存在している位置を意味する。  
本態様によれば、記録ヘッド７の往復移動方向Ｂに延設される送風部２１と、送風方向Ｄにおいて送風部２１とで記録ヘッド７を挟む位置に設けられるとともに往復移動方向Ｂに延設され送風部２１から送られる気流を吸引する吸気部１９と、を備える。そして、送風部２１から往復移動方向Ｂにおける記録ヘッド位置に向かう気流を抑制する。すなわち、送風部２１から送風される気流のうち往復移動方向Ｂにおける記録ヘッド位置に向かう気流のみを抑制して記録動作を実行することができる。このため、記録中においても、記録ヘッド７から液体を吐出することに伴って発生するミストを、記録品質の低下を抑制しつつ効率良く回収することができる。
【００４９】
本発明の第２の態様の記録装置１は、前記第１の態様において、前記記録ヘッド位置を検出する検出部２３を備え、検出部２３の検出結果に基づいて、送風部２１から前記記録ヘッド位置に向かう気流を抑制することを特徴とする。
【００５０】
本態様によれば、記録ヘッド位置を検出する検出部２３を備え、検出部２３の検出結果に基づいて送風部２１から記録ヘッド位置に向かう気流を抑制する。このため、例えば、検出部２３としてのエンコーダーと送風部２１としての往復移動方向Ｂに複数並べられるファンなどとを用いて、高い精度で、送風部２１から送風される気流のうち送風部２１から前記記録ヘッド位置に向かう気流を抑制することができる。
【００５１】
本発明の第３の態様の記録装置１は、前記第１又は第２の態様において、記録ヘッド７が設けられ、記録ヘッド７と共に往復移動方向Ｂに往復移動するキャリッジ４３と、送風部２１と記録ヘッド７との間の位置に設けられ、キャリッジ４３と連動して往復移動方向Ｂに往復移動する防風蓋２６と、を備えることを特徴とする。
【００５２】
本態様によれば、キャリッジ４３と連動して往復移動方向Ｂに往復移動する防風蓋２６を備える。このため、防風蓋２６により、複雑な制御をすることなく、送風部２１から送風される気流のうち送風部２１から前記記録ヘッド位置に向かう気流を抑制することができる。
【００５３】
本発明の第４の態様の記録装置１は、前記第３の態様において、防風蓋２６は、キャリッジ４３に取り付けられていることを特徴とする。
【００５４】
本態様によれば、防風蓋２６はキャリッジ４３に取り付けられているので、特に簡単に、送風部２１から送風される気流のうち送風部２１から前記記録ヘッド位置に向かう気流を抑制することができる。
【００５５】
本発明の第５の態様の記録装置１は、前記第３の態様において、防風蓋２６をキャリッジ４３と連動して往復移動方向Ｂに往復移動させる防風蓋駆動部を備えることを特徴とする。
【００５６】
本態様によれば、防風蓋２６をキャリッジ４３と連動して往復移動方向Ｂに往復移動させる防風蓋駆動部を備える。このため、防風蓋２６をキャリッジ４３と連動して往復移動方向Ｂに往復移動させることで、送風部２１から送風される気流のうち送風部２１から前記記録ヘッド位置に向かう気流を抑制することができる。
【００５７】
本発明の第６の態様の記録装置１は、前記第１から第５のいずれか１つの態様において、被記録媒体Ｐを送風方向Ｄに沿って搬送する搬送部３を備え、送風方向Ｄは、被記録媒体Ｐの搬送方向Ａの下流側から上流側に向かう方向であることを特徴とする。
【００５８】
本態様によれば、送風方向Ｄは被記録媒体Ｐの搬送方向Ａの下流側から上流側に向かう方向である。送風部２１や吸気部１９としては様々な形状や大きさのものを使用できるが、搬送方向Ａの下流側に送風部２１、搬送方向Ａの上流側に吸気部１９を配置するのが装置構成上適切である場合に、装置構成を適切にしつつ、記録ヘッド７から液体を吐出することに伴って発生するミストを、記録品質の低下を抑制しつつ効率良く回収することができる。
【００５９】
本発明の第７の態様の記録装置１は、前記第１から第６のいずれか１つの態様において、送風部２１は、往復移動方向Ｂに複数並べられる指向性ファン２２を有することを特徴とする。
【００６０】
本態様によれば、送風部２１は往復移動方向Ｂに複数並べられる指向性ファン２２を有する。指向性ファン２２は送風方向Ｄを特に高い精度で管理できるため、特に高い精度で、記録ヘッド７から液体を吐出することに伴って発生するミストを、記録品質の低下を抑制しつつ効率良く回収することができる。
【００６１】
本発明の第８の態様の記録装置１は、前記第１から第７のいずれか１つの態様において、送風部２１から前記記録ヘッド位置に向かう気流を遮断するエアカーテンを発生させるエアカーテン発生部２７を備えることを特徴とする。
【００６２】
本態様によれば、送風部２１から前記記録ヘッド位置に向かう気流を遮断するエアカーテンを発生させるエアカーテン発生部２７を備える。このため、エアカーテンにより、特に高い精度で、送風部２１から送風される気流のうち送風部２１から前記記録ヘッド位置に向かう気流を抑制することができる。
【符号の説明】
【００６３】
１…記録装置、２…繰出部、３…搬送機構（搬送部）、４…記録機構、
５…繰出部２の回転軸、６…従動ローラー、７…記録ヘッド、８…搬送ローラー、
９…従動ローラー、１０…粘着性ベルト、１１…従動ローラー、１２…加圧ローラー、
１３…洗浄ユニット、１４…トレイ、１５…洗浄機構、１６…カッター、
１７…巻取軸、１８…巻取機構、１９…吸気部、２０…ファン、２１…送風部、
２２…指向性ファン、２３…エンコーダー、２４…エンコーダーレーン、
２５…制御部、２６…防風蓋、２７…エアカーテン発生部、２８…ヘッド駆動部、
２９…モーター駆動部、３０…キャリッジモーター、３１…搬送モーター、
３２…繰出モーター、３３…巻取モーター、３４…指向性ファンモーター、
３５…ファンモーター、３６…カッター駆動部、３７…入出力部、３８…ＰＣ、
３９…ＣＰＵ、４０…システムバス、４１…ＲＯＭ、４２…ＲＡＭ、
４３…キャリッジ、４４…エア送出口、Ｆ…支持面、Ｐ…被記録媒体、
Ｒ１…被記録媒体Ｐのロール、Ｒ２…被記録媒体Ｐのロール
【図１】
2016137650.tif 000003
【図２】
2016137650.tif 000004
【図３】
2016137650.tif 000005
【図４】
2016137650.tif 000006
【図５】
2016137650.tif 000007